(57)【要約】【課題】どのような種類の電気機器が、どのコンセントの差し込み口に接続され電力が消費されているのかについての利用状況を把握し、しかも、これを低コストで実現する。【解決手段】電気機器管理システム１は、センサ部２３、特定部２７、通信部１２及び判別部１７を備えている。センサ部２３は、分電盤５から系統電力網側を計測対象としコンセント６，７の差し込み口に接続されている電気機器の全てにより消費される電力の情報を取得する。特定部２７は、この情報に基づいて差し込み口に接続されている電気機器の種類を特定し、その種類及びこの電気機器の消費電力量を示す特定情報Ｚを生成する。通信部１２は、差し込み口に接続されている電気機器個々の消費電力量を示す個別情報Ｘを、差し込み口毎に識別して取得する。判別部１７は、特定情報Ｚと個別情報Ｘとに基づいて、種類が特定された電気機器の接続先である差し込み口を判別する。【選択図】      図１
2014050171.tif 000002
【特許請求の範囲】
【請求項１】
分電盤から系統電力網側を計測対象とし当該分電盤から分電される複数のコンセントの差し込み口に接続されている電気機器の全てにより消費される電力の情報を取得するための計測部と、
前記情報に基づいて前記差し込み口に接続されている電気機器の種類を特定すると共に、この特定した電気機器の種類及びこの特定した電気機器それぞれの消費電力量を示す特定情報を生成する特定部と、
前記差し込み口それぞれに接続されている電気機器によって消費される個々の消費電力量を示す個別情報を、差し込み口毎に識別して取得する取得部と、
前記特定情報と前記個別情報とに基づいて、前記特定部によって種類が特定された電気機器の接続先である差し込み口を判別する判別部と、
を備えていることを特徴とする電気機器管理システム。
【請求項２】
前記計測部は、前記計測対象を第一のサンプリング周期で計測し、
前記取得部は、前記個別情報を、前記第一のサンプリング周期よりも大きな第二のサンプリング周期で取得する請求項１に記載の電気機器管理システム。
【請求項３】
前記第一のサンプリング周期は、１０マイクロ秒以上であり１ミリ秒以下であり、
前記第二のサンプリング周期は、１秒以上であり６０秒以下である請求項２に記載の電気機器管理システム。
【請求項４】
前記計測部は、前記計測対象を第一のサンプリング周期で計測し、
前記特定部は、前記特定情報を、前記第一のサンプリング周期よりも大きな第三のサンプリング周期で生成する請求項１〜３のいずれか一項に記載の電気機器管理システム。
【請求項５】
前記個別情報及び前記特定情報それぞれには、消費電力量の計測時刻を示す情報が含まれており、
前記判別部は、前記個別情報が示す消費電力量が変化した時刻と、前記特定情報が示す消費電力量が変化した時刻と、を照合することにより、前記特定部によって種類が特定された電気機器の接続先である差し込み口を判別する請求項１〜４のいずれか一項に記載の電気機器管理システム。
【請求項６】
前記判別部は、前記特定情報が示す消費電力量の大きさと、前記個別情報が示す消費電力量の大きさとを照合することにより、前記特定部によって種類が特定された電気機器の接続先である差し込み口を判別する請求項５に記載の電気機器管理システム。
【請求項７】
電気機器のプラグが接続される差し込み口を有するコンセントと、当該差し込み口に接続される電気機器の個々の消費電力量を計測しこの計測した結果を当該差し込み口の識別情報と対応付けて前記取得部に送信する通信部と、を有するコンセント装置を、更に備えている請求項１〜６のいずれか一項に記載の電気機器管理システム。
【請求項８】
分電盤から系統電力網側を計測対象とし当該分電盤から分電される複数のコンセントの差し込み口に接続されている電気機器の全てにより消費される電力の情報を取得し、
前記情報に基づいて前記差し込み口に接続されている電気機器の種類を特定すると共に、この特定した電気機器の種類及びこの特定した電気機器それぞれによって消費される消費電力量を示す特定情報を生成し、
前記差し込み口それぞれに接続されている電気機器によって消費される個々の消費電力量を示す個別情報を、差し込み口毎に識別して取得し、
前記特定情報と前記個別情報とに基づいて、種類が特定された電気機器の接続先である差し込み口を判別することを特徴とする電気機器管理方法。
【発明の詳細な説明】
【技術分野】
【０００１】
本発明は、電気機器を管理する電気機器管理システム及び電気機器管理方法に関する。
【背景技術】
【０００２】
近年、電力消費者に対して節電意識の向上を促すために、宅内で使用されている電気機器の消費電力量を計測すると共に、この計測結果を電力消費者に報知する管理装置を備えた電気機器管理システムが提案されている。
また、このようなシステムに用いられる技術として、例えば、非特許文献１に記載されているように、例えば、宅内に設けられたコンセントの差し込み口における電圧・電流の波形を計測することにより、使用している電気機器の種類を特定する技術がある。
【先行技術文献】
【非特許文献】
【０００３】
【非特許文献１】George W Hart “ Nonintrusive Appliance Load Monitoring ”  ［online］、［平成２４年３月２７日検索］、インターネット＜http://georgehart.com/research/nalm.html＞
【発明の概要】
【発明が解決しようとする課題】
【０００４】
宅内で使用されている電気機器の種類を、前記のとおり電圧・電流の波形を計測することによって特定するためには、宅内に設置されている複数のコンセントの差し込み口それぞれにおいて、消費される電圧・電流を計測してその波形データを取得する必要がある。そのために、各差し込み口に、高速なサンプリング周期で電圧・電流を検知可能なセンサ、及び、検知した結果を高速で処理する演算器等が必要となる。
しかし、このような高性能であるセンサ及び演算器は高価であり、さらに、一般的に宅内にはコンセント（差し込み口）が複数設けられていることから、これら全ての差し込み口に高価なセンサ及び演算器を設けると、システム全体が非常に高価となってしまう。
【０００５】
このため、例えば、宅内のコンセントの差し込み口から得られるデータを集約して管理する中央装置を設置し、この中央装置に、電気機器の種類を特定するための機能を備えさせることが考えられる。この場合、差し込み口それぞれにおいて計測した電圧・電流の波形データを中央装置へ送信すればよいが、このためには、各差し込み口に、高速なサンプリング周期で電圧・電流を検知可能なセンサの他に、高速なサンプリング周期で取得された大量の情報を送信可能な通信装置が必要となり、やはり、システム全体が高価となってしまう。
【０００６】
なお、宅内の複数のコンセント（差し込み口）に対して電力を分電する分電盤等において、電圧・電流の波形を計測することにより、これら差し込み口に接続されている電気機器の種類を特定することができると考えられる。しかし、この場合、種類を特定した電気機器が、どの差し込み口に接続されているかについては判別することができない。
【０００７】
そこで、本発明は、どのような種類の電気機器が、どのコンセントの差し込み口に接続され電力が消費されているのかについての利用状況を把握することが可能であり、しかも、これを低コストで実現可能とすることを目的とする。
【課題を解決するための手段】
【０００８】
（１）本発明の電気機器管理システムは、分電盤から系統電力網側を計測対象とし当該分電盤から分電される複数のコンセントの差し込み口に接続されている電気機器の全てにより消費される電力の情報を取得するための計測部と、前記情報に基づいて前記差し込み口に接続されている電気機器の種類を特定すると共に、この特定した電気機器の種類及びこの特定した電気機器それぞれの消費電力量を示す特定情報を生成する特定部と、前記差し込み口それぞれに接続されている電気機器によって消費される個々の消費電力量を示す個別情報を、差し込み口毎に識別して取得する取得部と、前記特定情報と前記個別情報とに基づいて、前記特定部によって種類が特定された電気機器の接続先である差し込み口を判別する判別部とを備えていることを特徴とする。
【０００９】
本発明によれば、特定部によって種類が特定された電気機器の接続先であるコンセントの差し込み口が判別されることにより、どのような種類の電気機器が、どの差し込み口に接続され電力が消費されているのかについての利用状況を把握することが可能となる。
また、本発明では、差し込み口に接続されている電気機器の種類を特定するために特定部によって用いられる情報は、差し込み口毎に取得されるのではなく、分電盤から系統電力網側を計測対象とすることにより取得される。このため、電気機器の種類を特定するために細かなサンプリング周期で処理を行うような高機能な機器等を、差し込み口毎に設ける必要がなく、分電盤から系統電力網側に設ければよく、低コスト化に貢献することが可能となる。
【００１０】
（２）また、前記計測部は、前記計測対象を第一のサンプリング周期で計測し、前記取得部は、前記個別情報を、前記第一のサンプリング周期よりも大きな第二のサンプリング周期で取得するのが好ましい。
（３）特に、前記第一のサンプリング周期は、１０マイクロ秒以上であり１ミリ秒以下であり、前記第二のサンプリング周期は、１秒以上であり６０秒以下であるのが好ましい。
この場合、分電盤から系統電力網側を計測対象とする計測部は、細かな第一のサンプリング周期で処理を行うような高機能な機器が必要となる。
これに対して、取得部は、個別情報を、この第一のサンプリング周期よりも大きいサンプリング周期で取得すればよい。したがって、この個別情報の生成元となるコンセントの差し込み口側においても、大きなサンプリング周期で個々の消費電力量を計測して送信すればよく、細かなサンプリング周期で処理を行うような高機能な機器等を、差し込み口毎に設ける必要はない。したがって、複数のコンセント（差し込み口）が存在していても、システム全体がコスト高となるのを防ぐことができる。
【００１１】
（４）また、前記計測部は、前記計測対象を第一のサンプリング周期で計測し、前記特定部は、前記特定情報を、前記第一のサンプリング周期よりも大きな第三のサンプリング周期で生成するのが好ましい。
この場合、分電盤から系統電力網側を計測対象とする計測部は、細かな第一のサンプリング周期で処理を行うような高機能な機器が必要となる。
これに対して、特定部は、特定情報を、この第一のサンプリング周期よりも大きな第三のサンプリング周期で生成すればよい。このため、特定部では、計測部ほどの高機能な機器が不要となり、コストを抑えることができる。
【００１２】
（５）また、前記個別情報及び前記特定情報それぞれには、消費電力量の計測時刻を示す情報が含まれており、前記判別部は、前記個別情報が示す消費電力量が変化した時刻と、前記特定情報が示す消費電力量が変化した時刻と、を照合することにより、前記特定部によって種類が特定された電気機器の接続先である差し込み口を判別するのが好ましい。
この場合、個別情報が示す消費電力量が変化した時刻と、特定情報が示す消費電力量が変化した時刻とが一致していることで、特定された電気機器が、どの差し込み口に接続されているのかについての利用状況を把握することが可能となる。
【００１３】
（６）さらに、前記（５）に記載の電気機器管理システムにおいて、前記判別部は、前記特定情報が示す消費電力量の大きさと、前記個別情報が示す消費電力量の大きさとを照合することにより、前記特定部によって種類が特定された電気機器の接続先である差し込み口を判別するのが好ましい。
この場合、更に、個別情報が示す消費電力量の大きさと、特定情報が示す消費電力量の大きさとが一致していることで、特定された電気機器が、どの差し込み口に接続されているのかについての利用状況を把握することが可能となる。
【００１４】
（７）さらに、前記電気機器管理システムは、電気機器のプラグが接続される差し込み口を有するコンセントと、当該差し込み口に接続される電気機器の個々の消費電力量を計測しこの計測した結果を当該差し込み口の識別情報と対応付けて前記取得部に送信する通信部と、を有するコンセント装置を、更に備えているのが好ましい。
この場合、コンセント装置を含む電気機器管理システムが構成される。
そして、このように、計測結果がコンセントの差し込み口の識別情報と対応付けられて通信部から取得部へと送信されることで、この取得部は、差し込み口それぞれに接続されている電気機器によって消費される個々の消費電力量を示す個別情報を、差し込み口毎に識別して取得することが可能となる。
【００１５】
（８）また、本発明の電気機器管理方法は、分電盤から系統電力網側を計測対象とし当該分電盤から分電される複数のコンセントの差し込み口に接続されている電気機器の全てにより消費される電力の情報を取得し、前記情報に基づいて前記差し込み口に接続されている電気機器の種類を特定すると共に、この特定した電気機器の種類及びこの特定した電気機器それぞれの消費電力量を示す特定情報を生成し、前記差し込み口それぞれに接続されている電気機器によって消費される個々の消費電力量を示す個別情報を、差し込み口毎に識別して取得し、前記特定情報と前記個別情報とに基づいて、種類が特定された電気機器の接続先である差し込み口を判別することを特徴とする。
本発明によれば、前記（１）に記載の電気機器管理システムと同様の作用効果を奏することが可能である。
【発明の効果】
【００１６】
本発明によれば、種類が特定された電気機器の接続先であるコンセントの差し込み口が判別されることにより、どのような種類の電気機器が、どの差し込み口に接続され電力が消費されているのかについての利用状況を把握することが可能となり、しかも、電気機器の種類を特定するために細かなサンプリング周期で処理を行うような高機能な機器等を、差し込み口毎に設ける必要がなく、低コスト化に貢献することが可能となる。
【図面の簡単な説明】
【００１７】
【図１】本発明の電気機器管理システムが設置されている家屋の説明図である。
【図２】コンセント装置のブロック図である。
【図３】計測ユニットのブロック図である。
【図４】管理装置のブロック図である。
【図５】個別情報に含まれる情報の説明図である。
【図６】特定情報に含まれる情報の説明図である。
【図７】個別情報に含まれる情報の説明図である。
【図８】特定情報に含まれる情報の説明図である。
【図９】モニタの表示例の説明図である。
【図１０】電気機器管理方法を説明するフロー図である。
【発明を実施するための形態】
【００１８】
以下、本発明の実施の形態を説明する。
〔電気機器管理システムの全体構成について〕
図１は、本発明の電気機器管理システム１が設置されている家屋２の説明図である。この家屋２には、系統電力網から電力線３を通じて電力が供給される。電力線３には電力メータ４及び分電盤５が接続されており、電力メータ４は系統電力網からの供給電力量を管理する。分電盤５は主遮断器５ａと副遮断器５ｂ，５ｃとを有しており、副遮断器５ｂ，５ｃそれぞれは家屋２内に設置されているコンセント６，７と接続されている。
【００１９】
各コンセントには識別番号（コンセントＩＤ）が設定されており、コンセントＩＤが「００１」である第一のコンセント６は、三つの差し込み口６ａ，６ｂ，６ｃを有しており、コンセントＩＤが「００２」である第二のコンセント７は、三つの差し込み口７ａ，７ｂ，７ｃを有している。以上より、系統電力網側からこれら差し込み口には電力が供給される。また、コンセント６は、後に説明するプロセッサ３１（図２参照）等と共に、第一のコンセント装置３０を構成し、コンセント７は、後に説明するプロセッサ４１（図２参照）と共に第二のコンセント装置４０を構成する。
【００２０】
また、この電気機器管理システム１は、管理装置１０と計測ユニット２０とを備えている。本実施形態では、計測ユニット２０は、分電盤５内に設置されているが、分電盤５外に設置されていてもよい。管理装置１０は、家屋２内に設置されており、計測ユニット２０及び各コンセント６，７（各差し込み口）において取得された情報に基づいて、電力需用者（家屋２の居住者）に対する報知情報を生成し、出力する機能を有している。
【００２１】
〔コンセント装置３０，４０〕
図２は、コンセント装置のブロック図である。第一のコンセント装置３０と第二のコンセント装置４０とは同じ構成である。そこで、ここでは、第一のコンセント装置３０を代表して説明する。コンセント装置３０は、三つの差し込み口６ａ，６ｂ，６ｃを有するコンセント６、ＣＰＵ等を有するプロセッサ３１、センサ部３２、リレイ制御部３３、通信部３４、及び、メモリ３５を有している。プロセッサ３１は、メモリ３５に記憶されているコンピュータプログラムにしたがって各種機能を奏するための処理（演算）を行う。
【００２２】
コンセント６の差し込み口６ａ，６ｂ，６ｃそれぞれには、電気機器のプラグ（図示せず）が接続可能である。センサ部３２は、コンセント６の差し込み口６ａ，６ｂ，６ｃそれぞれに接続される電気機器の個々の消費電力量（ワット数）を計測する。つまり、差し込み口６ａ，６ｂ，６ｃは三つ設けられているが、これら差し込み口６ａ，６ｂ，６ｃそれぞれに接続される電気機器の消費電力量を個別にセンサ部３２は計測可能である。
【００２３】
また、差し込み口６ａ，６ｂ，６ｃそれぞれに、差し込み口の識別情報（差し込み口ＩＤ）が設定されている。差し込み口６ａ，６ｂ，６ｃそれぞれの識別情報を「００Ａ」「００Ｂ」「００Ｃ」とする。
【００２４】
プロセッサ３１は、センサ部３２によって測定された測定結果を示す個別情報Ｘを生成する。なお、この個別情報Ｘに含まれる測定結果の情報は、センサ部３２による計測対象となったコンセントＩＤ及び差し込み口ＩＤが対応付けられている。つまり、コンセント６の差し込み口６ａに電気機器が接続され電力が消費されている場合、センサ部３２によってこの電気機器の消費電力量が測定されると、この測定結果に、コンセント６に付与されているコンセントＩＤ「００１」及び差し込み口ＩＤ「００Ａ」が対応付けられた個別情報Ｘが生成される。また、プロセッサ３１及びセンサ部３２は、時計機能を有しており、個別情報Ｘには、消費電力量の計測時刻を示す情報が含まれる。
【００２５】
センサ部３２による消費電力量の計測のサンプリング周期Ｔａは、１〜６０秒であり、個別情報Ｘの生成の周期もこのサンプリング周期Ｔａと同じである。
通信部３４は、管理装置１０との間で情報通信を行うインタフェースからなり、プロセッサ３１の処理によって生成された個別情報Ｘを管理装置１０へ送信する。この送信周期は、サンプリング周期Ｔａと同じであってもよく、異なっていてもよい。なお、この送信周期が、サンプリング周期Ｔａと異なる場合、その送信周期をサンプリング周期Ｔａよりも大きく設定するのが好ましく、この場合、個別情報Ｘ（複数の計測データ）を集約して送信することにより、通信負荷を低減することが可能となる。
【００２６】
リレイ制御部３３は、後に説明するが、管理装置１０の制御指令部１８（図４参照）からの指令信号に基づいて、差し込み口６ａ，６ｂ，６ｃそれぞれの電力供給を個別に遮断（オフ）したり、復帰（オン）させたりすることができる。例えば、差し込み口６ａに電気機器が接続され電力が消費されている状態から、指令信号に基づいてリレイ制御部３３は、この電気機器への電力の供給を遮断することができ、また、指令信号に基づいてこの電気機器への電力の供給を復帰させることができる。
【００２７】
以上のように、コンセント装置３０は、コンセント６の差し込み口６ａ，６ｂ，６ｃそれぞれに接続される電気機器の個々の消費電力量を計測することができ、また、この計測した結果にコンセントＩＤ及び差し込み口ＩＤが対応付けられた個別情報Ｘを管理装置１０の通信部１２に送信することができる。
【００２８】
〔計測ユニット２０〕
図３は、計測ユニット２０のブロック図である。計測ユニット２０は、ＣＰＵ等を有するプロセッサ２１、通信部２２、センサ部２３及びメモリ２４を有している。プロセッサ２１は、メモリ２４に記憶されているコンピュータプログラムにしたがって各種機能を奏するための処理（演算）を行う。このプロセッサ２１によって実行される機能として、後に説明する特定部２７を、計測ユニット２０は有することができる。
通信部２２は、管理装置１０との間で情報通信を行うインタフェースからなり、プロセッサ２１の処理によって生成された情報（特定情報Ｚ）を管理装置１０へ送信する。
【００２９】
センサ部２３は、分電盤５から系統電力網側を計測対象としている。つまり、センサ部２３は、電力線３を流れる電気の電力量、電圧、電流、これらの位相を計測する。そして、プロセッサ２１は、この計測結果に、センサ部２３による電圧・電流等の計測時刻を含めて特定用の情報として生成する。なお、センサ部２３が計測する電力量等は、電力線３（図１参照）を流れる電気の電力量等であることから、その測定値は、全てのコンセント６，７（全ての差し込み口）に接続されている全ての電気機器によって消費されている総電力量等である。
つまり、センサ部（計測部）２３は、分電盤５から分電される二つのコンセント６，７の差し込み口に接続されている電気機器の全てにより消費される電力の情報（特定用の情報）を取得することが可能となる。
【００３０】
そして、プロセッサ２１による特定部２７は、この特定用の情報に基づいて、コンセント６，７の各差し込み口に接続され電力が消費されている電気機器の種類を特定する処理を行う。この処理を「特定処理（又は同定処理）」という。
特定処理について説明する。電気機器によって消費される電気（電流・電圧）の波形は、電気機器の種類毎によって異なることが一般的に知られている。そこで、特定部２７は、前記特定用の情報に基づいて、この波形の特徴を取得し、この特徴点に基づいて、電気機器の種類を特定する。
【００３１】
特定処理を具体的に説明すると、計測ユニット２０のメモリ２４は、様々な電気機器の種類と、これら電気機器それぞれによって消費される電気の特徴（特徴量）とを対応させたデータベースを備えている。なお、このデータベース中の電気機器は、種類毎に識別子が付与されている。また、前記特徴（特徴量）には、電圧値、電流値、位相差が含まれる。
そして、ある電気機器がコンセントの差し込み口に接続されて電力を消費していると（ただし、どのコンセントの差し込み口であるかは不明である）、センサ部２３によって、電力線３を流れる電気（電流・電圧）が高速（例えば１０〜２０ｋＨｚ）でサンプリングされ、その計測結果と計測時刻とを含む特定用の情報が生成され、特定部２７は、この特定用の情報に含まれている電流値、電圧値、及び、これらの位相差等のデータから電気機器固有の特徴（特徴量）を抽出する。そして、特定部２７は、特定用の情報から抽出したこの特徴（特徴量）と、前記データベース中の特徴（特徴量）とを比較することにより、接続されている電気機器（オン状態にある電気機器）を特定する。
【００３２】
なお、複数台の電気機器が複数の差し込み口に接続されている場合、これら電気機器によって消費される電気が電力線３を流れ、センサ部２３はこれをサンプリングすることとなる。この場合、これら電気機器によって消費される電気の特徴（特徴量）は重なるが、特定部２７は、これを識別することが可能である。例えば、複数台の電気機器がコンセント６，７の差し込み口に異なる時刻に接続開始されていれば、その接続開始時刻で電流や電圧の変化が生じることから、これに基づいて複数の電気機器を識別することができ、これら電気機器それぞれの種類を特定することが可能となる。なお、この特定処理は、他の方法によるものであってもよい。
【００３３】
また、前記メモリ２４内の前記データベースには、様々な電気機器の種類と、これら電気機器それぞれによって消費される電気の特徴（特徴量）との他に、消費電力量についての情報も、電機機器の種類と対応して蓄積されている。なお、前記のとおり、このデータベースには、特徴量として各電気機器の電圧値、電流値、位相差が含まれることから、これらから、各電気機器の消費電力量を算出することもできる。
【００３４】
そこで、特定部２７は、特定した電気機器それぞれによって消費される消費電力量を、次のようにして求めることができる。
すなわち、時々刻々の総消費電力量（全ての電気機器によって消費されている総電力量）が前記センサ部２３によって求められ、各時刻において電力が消費されている（オンの状態にある）電気機器を特定部２７によって判別することができると、そのオンの状態にある電機機器の消費電力量を、前記データベース中の情報に基づいて求めることができる。
なお、オン／オフの２つの状態以外に、さらに他の状態を有する電気機器の場合であっても、同様にして、消費電力量を前記データベース中の情報に基づいて求めることができる。例えば、ある電気機器では、オン（モード１）、オン（モード２）、オフの３つの状態が存在する場合、データベース中の特徴量には、オン（モード１）及びオン（モード２）それぞれの状態における特徴（特徴量）の情報、及び、その消費電力量の情報が蓄積されているので、この電気機器の状態変化を特定部２７が判別することができると、このような電気機器における消費電力量を求めることができる。
【００３５】
また、特定部２７は、特定した電気機器それぞれによって消費される消費電力量を、次のようにして、求めることもできる。前記のとおり、電気機器固有の特徴（特徴量）を抽出するために、電力線３を流れる電気（電流・電圧）がサンプリングされ、電流値、電圧値、及び、これらの位相差等のデータが取得されていることから、特定部２７は、特定した電気機器によって消費される消費電力量を個別に求めることが可能となる。なお、複数台の電気機器がコンセント６，７の差し込み口に接続されている場合、前記のとおり、接続開始の時刻が異なれば、接続開始の時刻で電流や電圧の変化が生じるので、これに基づいて接続されている複数の電気機器それぞれによって消費される消費電力量を求めることが可能となる。
【００３６】
以上のように、特定部２７は、センサ部２３によって取得された情報（特定用の情報）に基づいて、コンセント６，７の差し込み口それぞれに接続されている電気機器の種類を特定することができる。
さらに、特定部２７は、この特定した電気機器の種類、及び、この特定した電気機器それぞれによって消費される消費電力量を示す特定情報Ｚを生成する。なお、電気機器の種類については、前記データベース中に設定されている電気機器の識別子が、特定情報Ｚに含まれる。
また、プロセッサ２１及びセンサ部２３は時計機能を有しており、この特定情報Ｚには、電気機器の識別子の他に、センサ部２３による消費電力量の計測時刻を示す情報が含まれる。また、特定情報Ｚには、電気機器のオン／オフの状態変化、及び、その時刻（状態変化時刻）が含まれる。
【００３７】
センサ部２３による電力量等の計測のサンプリング周期Ｔｂは、１０マイクロ秒〜１ミリ秒とすることができ、このような比較的細かいサンプリング周期Ｔｂで取得された情報に基づいて、特定部２７は、コンセントに接続されている電気機器の種類の特定を行う。
そして、通信部２２は特定情報Ｚを取得し、この特定情報を管理装置１０へ送信する。
なお、特定情報Ｚを生成する周期Ｔｃは、センサ部２３によるサンプリング周期Ｔｂよりも充分に大きくてよく、例えば１〜数秒（又は６０秒）である。また、特定情報Ｚの管理装置１０への送信周期は、特定情報Ｚを生成する周期Ｔｃと同じであってもよく、異なっていてもよい。なお、この送信周期が、サンプリング周期Ｔｃと異なる場合、その送信周期をサンプリング周期Ｔｃよりも大きく設定するのが好ましく、この場合、特定情報Ｚを集約して送信することにより、通信負荷を低減することが可能となる。
【００３８】
〔管理装置１０〕
図４は、管理装置１０のブロック図である。管理装置１０は、ＣＰＵ等を有するプロセッサ１１、通信部１２、モニタ１３及びメモリ１４を有している。プロセッサ１１は、メモリ１４に記憶されているコンピュータプログラムにしたがって各種機能を奏するための処理（演算）を行う。このプロセッサ１１によって実行される機能として、後に説明する判別部１７及び制御指令部１８を、管理装置１０は有することができる。
【００３９】
モニタ１３は、プロセッサ１１による処理結果の情報（管理情報）を表示し、電力需用者にこの情報を報知する。図９は、モニタ１３の表示例の説明図である。モニタ１３には、管理情報として、コンセントの差し込み口（接続先）、現在の状態、利用継続時間の情報が、電気機器（種類）毎に表示される。なお、電気機器（種類）には、機器の名称の他、その製造者、モデル、型番、製造年月日等の付属情報も、併せて表示させることが可能となる。この付属情報は、前記データベースに、識別子と対応させて記憶されている情報である。
図９に示す情報が、モニタ１３に表示されることで、これを見た電力需用者は、どのような電気機器がどこに接続されて電力を消費しているかについて、現在の電気の利用状態を把握することができ、節電意識を促すことが可能となる。
【００４０】
図４において、通信部１２は、計測ユニット２０及びコンセント装置３０，４０との間で情報通信を行うインタフェースからなる。通信部１２は、コンセント装置３０（４０）から送信された個別情報Ｘを受信可能であり、また、計測ユニット２０から送信された特定情報Ｚを受信可能であり、各種情報を取得する取得部としての機能を有している。
なお、個別情報Ｘは、前記のとおり、コンセントの差し込み口それぞれに接続される電気機器の個々の消費電力量の計測値に、コンセントＩＤ及び差し込み口ＩＤが対応付けられた情報であることから、通信部１２は、個別情報Ｘを取得すると、複数のコンセント６，７それぞれに接続されている電気機器によって消費される個々の消費電力量を示す情報を、コンセント毎及び差し込み口毎に識別して取得することができる。
また、特定情報Ｚは、特定部２７によって特定された電気機器の種類、及び、この特定した電気機器それぞれによって消費される消費電力量を示す情報であり、通信部１２は、この特定情報Ｚを取得することができる。
【００４１】
そして、プロセッサ１１による判別部１７は、これら特定情報Ｚと個別情報Ｘとに基づいて、特定部２７によって種類が特定された電気機器の接続先であるコンセントの差し込み口を判別する機能を有している。判別部１７による判別処理については後の具体例により説明する。
【００４２】
また、判別部１７によって、電気機器の接続先であるコンセントの差し込み口が判別され、その判別結果に基づく管理情報が生成されると、この管理情報に基づいて、プロセッサ１１による制御指令部１８は機能することができる。
例えば、図９に示す管理情報が生成されている状態から、例えば、コンセントＩＤが「００１」であるコンセント６の、差し込み口ＩＤが「００Ａ」である差し込み口６ａに、プラグが接続されている電気機器に過電流が流れようとしていることが、この電気機器管理システム１によって、検知されたとする。この場合、制御指令部１８は、迅速に、この差し込み口６ａに対して、電力の供給を強制的に遮断させる旨を示す指令信号Ｅを生成し、通信部１２からこの指令信号Ｅをコンセント装置３０の通信部３４に送信する。
【００４３】
この指令信号Ｅを受けたコンセント装置３０のリレイ制御部３３は、この指令信号Ｅに基づいて、差し込み口６ａへの電力供給を遮断する。これにより、差し込み口６ａにプラグが接続されていた電気機器を、自動的にオフの状態とすることができる。また、リレイ制御部３３は、オフ状態からオン状態に自動的に切り替えることも可能である。
このような自動オフ制御を行うことができるため、例えば、過電流によって分電盤５（図１参照）の主遮断器５ａが機能して、コンセント６，７の全ての給電を停止させる前に、一部である差し込み口６ａのみの給電を停止させることができ、全ての電気機器がオフされてしまうのを防止することができる。
【００４４】
以下、前記のように構成された電気機器管理システム１によって行われる電気機器管理方法の具体例について説明する。
【００４５】
〔電気機器管理方法（具体例１）について〕
図１において、コンセントＩＤが「００１」であるコンセント６の差し込み口６ａ（この差し込み口ＩＤは「００Ａ」）に、１台の電気機器（識別子「α」）が接続されており、コンセントＩＤが「００２」であるコンセント７には、電気機器が全く接続されていない場合について説明する。図１０は、この電気機器管理方法を説明するフロー図である。
【００４６】
コンセント装置３０のセンサ部３２（図２参照）によって、差し込み口６ａに接続されている電気機器によって消費されている消費電力量が計測されると（図１０のステップＳ１）、プロセッサ３１は、その計測値と計測時刻とを含む個別情報Ｘを生成する（ステップＳ２）。なお、センサ部３２は、他の差し込み口６ｂ，６ｃについても計測を行い、その計測値と計測時間とが前記個別情報Ｘに含められる。また、コンセント７には電気機器が接続されていないが、センサ部４２は、このコンセント７の差し込み口７ａ，７ｂ，７ｃの消費電力量を計測し、プロセッサ４１は、その計測値（ゼロ）と計測時刻とを含む個別情報Ｘを生成する。
【００４７】
図５は、個別情報Ｘに含まれる情報の説明図である。この個別情報Ｘには、コンセントＩＤ毎及び差し込み口ＩＤ毎の計測値が、計測時刻毎に含まれる。つまり、この図５（ａ）に示す個別情報Ｘによれば、コンセントＩＤが「００１」であるコンセントであって、差し込み口ＩＤが「００Ａ」である差し込み口に、時刻「１０１」を開始時刻として１００ワットの電力消費が発生し、この時刻「１０１」よりも後の時刻「１０２」においても継続して１００ワットの電力量が消費されていることが示されている。なお、この図５（ａ）に示す個別情報Ｘは、コンセント装置３０のプロセッサ３１が生成した情報となる。
【００４８】
また、図５（ｂ）に示す個別情報Ｘによれば、時刻「１００」〜「１０２」の間、コンセントＩＤが「００２」であるコンセントであって、差し込み口ＩＤが「００Ｄ」〜「００Ｆ」の差し込み口において電力消費が発生していない。この図５（ｂ）に示す個別情報Ｘは、コンセント装置４０のプロセッサ４１が生成した情報となる。
【００４９】
このように生成された個別情報Ｘは、コンセント装置３０，４０の通信部３４，４４から管理装置１０の通信部１２へ送信される（ステップＳ２）。
これにより、コンセント装置３０，４０から送信された、コンセント６，７の差し込み口それぞれに接続されている電気機器によって消費される個々の消費電力量を示す個別情報Ｘは、管理装置１０によって、コンセント毎に識別して取得される（図１０のステップＳ２０）。
【００５０】
また、このようなコンセント装置３０，４０における処理と共に、計測ユニット２０（図３参照）において、以下の処理も実行される。
センサ部２３によって、電力線３を流れる電気の電力量、電圧、電流、これらの位相が計測されると（図１０のステップＳ１１）、プロセッサ２１は、その計測値と計測時刻とを含む特定用の情報を生成する（ステップＳ１２）。なお、センサ部２３が計測する電力量等は、電力線３（図１参照）を流れる電気の電力量等であることから、その測定値は、コンセント６，７の差し込み口に接続されている全ての電気機器によって消費されている総電力量等である。このように、計測ユニット２０は、分電盤５から系統電力網側を計測対象としており、分電盤５から分電されるコンセント６，７の差し込み口に接続されている電気機器の全てにより消費される電力の情報（特定用の情報）を取得することができる（ステップＳ１２）。
【００５１】
そして、特定部２７は、この特定用の情報に基づいて、コンセント６，７の差し込み口に接続されている電気機器の種類を特定する（ステップＳ１３）。なお、特定部２７は、どのコンセントの、どの差し込み口に電気機器が接続されているのかについては、特定することはできない。
さらに、特定部２７は、この特定した電気機器の種類、及び、この特定した電気機器それぞれによって消費される消費電力量を示す特定情報Ｚを生成する（ステップＳ１４）。この消費電力量は、センサ部２３による計測時刻が対応付けられている。電気機器の特定処理、及び、この特定した電気機器それぞれによって消費される消費電力量を求める処理は、前記説明のとおりであり、ここではその説明を省略する。
【００５２】
図６は、特定情報Ｚに含まれる情報の説明図である。この特定情報Ｚには、特定した電気機器の種類（識別子）、オン／オフの状態変化、及び、消費電力量が、計測時刻毎に含まれている。
本実施形態では、前記のとおり、コンセントＩＤが「００１」であるコンセント６の差し込み口６ａ（この差し込み口ＩＤは「００Ａ」）に、１台の電気機器が接続されていることから、図６に示すように、特定情報Ｚとして、時刻「１０１」に、識別子「α」である電気機器が「オフからオン」へと状態変化し、その消費電力量が「１００Ｗ」であることを示す情報が、特定部２７によって生成されている。
【００５３】
このように、計測ユニット２０により、特定用の情報に基づいて、コンセント６，７の差し込み口に接続されている電気機器の種類が特定されると共に、この特定した電気機器の種類及びこの特定した電気機器それぞれによって消費される消費電力量を示す特定情報Ｚが取得される。
この特定情報Ｚは、管理装置１０の通信部１２へ送信され（ステップＳ１４）、この特定情報Ｚは、管理装置１０によって取得される（ステップＳ２０）。
【００５４】
そして、コンセント装置３０，４０から送信された個別情報Ｘ（図５（ａ）（ｂ））、及び、計測ユニット２０から送信された特定情報Ｚ（図６）に基づいて、特定部２７によって種類が特定された識別子「α」の電気機器の接続先であるコンセントの差し込み口を判別する（ステップＳ２１）。
すなわち、管理装置１０の判別部１７は、図５に示す個別情報Ｘと、図６に示す特定情報Ｚとを照合する（マッチング処理）。本実施形態の場合、消費電力量の状態が「０Ｗ」から「１００Ｗ」へと変化した時刻として、個別情報Ｘと特定情報Ｚとの双方に、同じ時刻「１０１」が含まれていることから、識別子「α」の電気機器の接続先が『コンセントＩＤが「００１」であるコンセントであって、差し込み口ＩＤが「００Ａ」である差し込み口』であることを判別することができる。
【００５５】
このように、判別部１７は、個別情報Ｘが示す消費電力量が変化した時刻「１０１」と、特定情報Ｚが示す消費電力量が変化した時刻「１０１」とを照合することにより、特定部２７によって種類が特定された電気機器の接続先であるコンセントの差し込み口を判別する。つまり、個別情報Ｘが示す消費電力量が変化した時刻と、特定情報Ｚが示す消費電力量が変化した時刻とが一致していることで、特定された電気機器が、どのコンセントの差し込み口に接続されているのかについての利用状況を把握することが可能となる。
そして、判別部１７によって、このような判別処理がされると、プロセッサ１１は、その結果を、管理装置１０のモニタ１３に表示させることができる（図１０のステップＳ２２）。
【００５６】
〔電気機器管理方法（具体例２）について〕
図１において、コンセントＩＤが「００１」であるコンセント６の差し込み口６ａ（この差し込み口ＩＤは「００Ａ」）に、１台の電気機器（識別子「α」）が接続されており、コンセントＩＤが「００２」であるコンセント７の差し込み口７ａ（この差し込み口ＩＤは「００Ｄ」）に、１台の電気機器（識別子「β」）が接続されている場合について説明する。
【００５７】
コンセント装置３０のセンサ部３２（図２参照）によって、差し込み口６ａに接続されている電気機器によって消費されている消費電力量が計測されると（図１０のステップＳ１）、プロセッサ３１は、その計測値と計測時刻とを含む個別情報Ｘを生成する（ステップＳ２）。なお、センサ部３２は、他の差し込み口６ｂ，６ｃについても計測を行い、その計測値と計測時間とが前記個別情報Ｘに含められる。
また、コンセント装置４０のセンサ部４２によって、差し込み口７ａに接続されている電気機器によって消費されている消費電力量が計測されると（図１０のステップＳ１）、プロセッサ４１は、その計測値と計測時刻とを含む個別情報Ｘを生成する（ステップＳ２）。なお、センサ部４２は、他の差し込み口７ｂ，７ｃについても計測を行い、その計測値と計測時間とが前記個別情報Ｘに含められる。
【００５８】
図７は、個別情報Ｘに含まれる情報の説明図である。この個別情報Ｘには、コンセントＩＤ毎及び差し込み口ＩＤ毎の計測値が、計測時刻毎に含まれる。つまり、この図７（ａ）に示す個別情報Ｘによれば、コンセントＩＤが「００１」であるコンセントであって、差し込み口ＩＤが「００Ａ」である差し込み口に、時刻「１０１」を開始時刻として１００ワットの電力消費が発生し、この時刻「１０１」よりも後の時刻「１０２」においても継続して１００ワットの電力量が消費されていることが示されている。なお、この図７（ａ）に示す個別情報Ｘは、コンセント装置３０のプロセッサ３１が生成した情報となる。
【００５９】
また、図７（ｂ）に示す個別情報Ｘによれば、コンセントＩＤが「００２」であるコンセントであって、差し込み口ＩＤが「００Ｄ」である差し込み口に、時刻「１０１」を開始時刻として２００ワットの電力消費が発生し、この時刻「１０１」よりも後の時刻「１０２」においても継続して２００ワットの電力量が消費されていることが示されている。なお、この図７（ｂ）に示す個別情報Ｘは、コンセント装置４０のプロセッサ４１が生成した情報となる。
【００６０】
このように生成された個別情報Ｘは、コンセント装置３０，４０の通信部３４，４４から管理装置１０の通信部１２へ送信される（ステップＳ２）。
これにより、コンセント装置３０，４０から送信された、コンセント６，７の差し込み口それぞれに接続されている電気機器によって消費される個々の消費電力量を示す個別情報Ｘは、管理装置１０によって、差し込み口毎に識別して取得される（図１０のステップＳ２０）。
【００６１】
また、このようなコンセント装置３０，４０における処理と共に、計測ユニット２０（図３参照）において、以下の処理も実行される。
センサ部２３によって、電力線３を流れる電気の電力量、電圧、電流、これらの位相が計測される（図１０のステップＳ１１）と、プロセッサ２１は、その計測値と計測時刻とを含む特定用の情報を生成する（ステップＳ１２）。なお、センサ部２３が計測する電力量等は、電力線３（図１参照）を流れる電気の電力量等であることから、その測定値は、コンセント６，７の差し込み口に接続されている全ての電気機器によって消費されている総電力量等である。このように、計測ユニット２０は、分電盤５から系統電力網側を計測対象とすることにより、分電盤５から分電されるコンセント６，７の差し込み口に接続されている電気機器の全てにより消費される電力の情報（特定用の情報）を取得することができる（ステップＳ１２）。
【００６２】
そして、特定部２７は、この特定用の情報に基づいて、コンセント６，７の差し込み口に接続されている電気機器の種類を特定する（ステップＳ１３）。なお、特定部２７は、どのコンセントの、どの差し込み口に電気機器が接続されているのかについては、特定することはできない。
さらに、特定部２７は、この特定した電気機器の種類、及び、この特定した電気機器それぞれによって消費される消費電力量を示す特定情報Ｚを生成する（ステップＳ１４）。この消費電力量は、センサ部２３による計測時刻が対応付けられている。電気機器の特定処理は、前記説明のとおりであり、ここではその説明を省略する。
【００６３】
図８は、特定情報に含まれる情報の説明図である。この特定情報Ｚには、特定した電気機器の種類（識別子）、オン／オフの状態変化、及び、消費電力量が、計測時刻毎に含まれている。
本実施形態では、前記のとおり、コンセントＩＤが「００１」であるコンセント６の差し込み口６ａ（この差し込み口ＩＤは「００Ａ」）に、１台の電気機器が接続されていることから、図８に示すように、特定情報Ｚとして、時刻「１０１」に、識別子「α」である電気機器が「オフからオン」へと状態変化し、その消費電力量が「１００Ｗ」であることを示す情報が、特定部２７によって生成されている。
さらに、本実施形態では、コンセントＩＤが「００２」であるコンセント７の差し込み口７ａ（この差し込み口ＩＤは「００Ｄ」）に、１台の電気機器が接続されていることから、図８に示すように、特定情報Ｚとして、時刻「１０１」に、識別子「β」である電気機器が「オフからオン」へと状態変化し、その消費電力量が「２００Ｗ」であることを示す情報が、特定部２７によって生成されている。
【００６４】
このように、計測ユニット２０により、特定用の情報に基づいて、コンセント６，７の差し込み口に接続されている電気機器の種類が特定されると共に、この特定した電気機器の種類及びこの特定した電気機器それぞれによって消費される消費電力量を示す特定情報Ｚが取得される。
この特定情報Ｚは、管理装置１０の通信部１２へ送信され（ステップＳ１４）、この特定情報Ｚは、管理装置１０によって取得される（ステップＳ２０）。
【００６５】
そして、コンセント装置３０，４０から送信された個別情報Ｘ（図７（ａ）（ｂ））、及び、計測ユニット２０から送信された特定情報Ｚ（図８）に基づいて、特定部２７によって種類が特定された識別子「α」の電気機器及び識別子「β」の電気機器の接続先であるコンセントの差し込み口を判別する（ステップＳ２１）。
すなわち、管理装置１０の判別部１７は、図７に示す個別情報Ｘと、図８に示す特定情報Ｚとを照合する（マッチング処理）。本実施形態の場合、消費電力量の状態が「０Ｗ」から「１００Ｗ」へと変化した時刻として、個別情報Ｘと特定情報Ｚとの双方に、同じ時刻「１０１」が含まれており、さらに、個別情報Ｘと特定情報Ｚとの双方に、この同じ時刻「１０１」において、同じ消費電力量「１００Ｗ」が含まれていることから、識別子「α」の電気機器の接続先が『コンセントＩＤが「００１」であるコンセントであって、差し込み口ＩＤが「００Ａ」である差し込み口』であることを判別することができる。
さらに、消費電力量の状態が「０Ｗ」から「２００Ｗ」へと変化した時刻として、個別情報Ｘと特定情報Ｚとの双方に、同じ時刻「１０１」が含まれており、さらに、個別情報Ｘと特定情報Ｚとの双方に、この同じ時刻「１０１」において、同じ消費電力量「２００Ｗ」が含まれていることから、識別子「β」の電気機器の接続先が『コンセントＩＤが「００２」であるコンセントであって、差し込み口ＩＤが「００Ｄ」である差し込み口』であることを判別することができる。
【００６６】
このように、判別部１７は、個別情報Ｘが示す消費電力量が変化した時刻「１０１」と、特定情報Ｚが示す消費電力量が変化した時刻「１０１」とを照合すると共に、個別情報Ｘが示す消費電力量の大きさと、特定情報Ｚが示す消費電力量の大きさとを照合することにより、特定部２７によって種類が特定された電気機器の接続先であるコンセントの差し込み口を判別する。つまり、個別情報Ｘが示すこれら情報と、特定情報Ｚが示すこれら情報とが一致していることで、特定された電気機器が、どのコンセントの差し込み口に接続されているのかについての利用状況を把握することが可能となる。
そして、判別部１７によって、このような判別処理がされると、プロセッサ１１は、その結果を、管理装置１０のモニタ１３に表示させることができる（図１０のステップＳ２２）。
【００６７】
〔電気機器管理システム１及び管理方法について〕
以上の実施形態に係る電気機器管理システム１によれば、計測ユニット２０の特定部２７によって、コンセント６，７の差し込み口に接続されている電気機器の種類が特定され、この計測ユニット２０により生成される特定情報Ｚには、特定した電気機器の種類及び特定した電気機器それぞれによって消費される消費電力量が含まれる。また、コンセント装置３０，４０により生成される個別情報Ｘには、コンセント６，７の差し込み口に接続されている電気機器によって消費される個々の消費電力量を示す情報が、差し込み口毎に識別されて含まれている。
したがって、管理装置１０の判別部１７は、これら特定情報Ｚと個別情報Ｘとに基づいて、特定部２７によって種類が特定された電気機器の接続先であるコンセントの差し込み口を判別することができ、この結果、管理装置１０は、どのような種類の電気機器が、どのコンセントの差し込み口に接続され電力が消費されているのかについての利用状況を把握することが可能となる。
【００６８】
しかたがって、例えば、この電気機器管理システム１により、コンセント装置（３０，４０）のリレイ制御部（３３，４３）が用いられて行われる前記自動オフ制御として、現在使用されている電気機器のうち、優先順位が低いものから、電力の供給を遮断する必要がある場合、どのコンセントのどの差し込み口に、どのような電気機器が接続されているのか把握する必要があるが、本実施形態に係る電気機器管理システム１によれば、この把握が可能となるため、優先順位の低い電気機器から順に電力供給を遮断することが可能となる。なお、優先順位が高い電気機器としては、例えば冷蔵庫があり、優先順位が低い電気機器としては空調設備（エアコン）がある。
【００６９】
また、本実施形態に係る電気機器管理システム１では、コンセント６，７の差し込み口に接続されている電気機器の種類を特定するために特定部２７によって用いられる情報は、の差し込み口毎に取得されるのではなく、分電盤５から系統電力網側の電力線３を計測することにより取得される。このため、コンセント（差し込み口）の数が多くなっても、電気機器の種類を特定するために細かなサンプリング周期で処理を行うような高機能な機器を、コンセント６，７の差し込み口毎に設ける必要がなく、分電盤５又は分電盤５よりも系統電力網側の電力線３に一つ設けられていればよい。つまり、前記のような高機能な機器は、単一の計測ユニット２０が有していればよい。
このため、コンセントの数が多くなっても、高機能な機器等をコンセントの差し込み口毎に設ける必要がないことから、電気機器管理システム１全体がコスト高となるのを防ぐことができる。
【００７０】
また、コンセント装置３０（４０）のセンサ部３２（４２）による各電気機器の消費電力量を計測するサンプリング周期Ｔａ、計測ユニット２０のセンサ部２３による電力線３を流れる電流・電圧を計測するサンプリング周期Ｔｂ、及び、計測ユニット２０の特定部２７が特定情報Ｚを生成する周期Ｔｃ等について説明する。
【００７１】
計測ユニット２０では、センサ部２３（計測部）により、電力線３を流れる電気（電流及び／又は電圧）が、細かい第一のサンプリング周期Ｔｂで計測される。このサンプリング周期Ｔｂは、１０マイクロ秒以上であり１ミリ秒以下であるが、好ましくは、１０マイクロ秒以上であり１００マイクロ秒以下である。しかし、特定部２７では、このサンプリング周期Ｔｂよりも充分に大きな第三のサンプリング周期Ｔｃ（１〜数秒）で、特定処理を行って特定情報Ｚが生成されればよく、また、これと同じ周期Ｔｃで管理装置１０に特定情報Ｚが送信されればよい（Ｔｂ＜＜Ｔｃ）。
また、コンセント装置３０（４０）において、電気機器の個々の消費電力量を計測するサンプリング周期Ｔａは、１秒以上であり６０秒以下であるが、好ましくは、１秒以上であり１０秒以下である。また、この計測結果に基づく個別情報Ｘの生成の周期、及び、個別情報Ｘの送信の周期もこのサンプリング周期Ｔａと同じであってもよく、異なっていてもよい。
この結果、管理装置１０において、通信部１２は、個別情報Ｘ及び特定情報Ｚを、細かい第一のサンプリング周期Ｔｂよりも充分に大きな第二のサンプリング周期Ｔａ（１〜６０秒）で取得すればよい（Ｔｂ＜＜Ｔａ）。なお、本実施形態では、サンプリング周期Ｔｃと、サンプリング周期Ｔａとは同じである（Ｔｃ＝Ｔａ）。
【００７２】
すなわち、計測ユニット２０のセンサ部２３は、細かなサンプリング周期Ｔｂ（１０マイクロ秒〜１ミリ秒）で処理を行うような高機能な機器となる。
これに対して、管理装置１０の通信部１２は、個別情報Ｘ（及び特定情報Ｚ）を、このサンプリング周期Ｔｂよりも大きいサンプリング周期（１〜数秒）で取得すればよい。したがって、この個別情報Ｘの生成元となるコンセント装置３０，４０側においても、大きなサンプリング周期（１〜数秒）で個々の消費電力量を計測して送信すればよく、細かなサンプリング周期（１０マイクロ秒〜１ミリ秒）で処理を行うような高機能な機器等を、コンセント装置３０，４０毎に設ける必要はない。したがって、複数のコンセント装置３０，４０が存在していても、電気機器管理システム１全体がコスト高となるのを防ぐことができる。
【００７３】
なお、今回開示した実施形態は、すべての点で例示であって制限的なものではない。本発明の権利範囲は、上述の実施形態に限定されるものではなく、特許請求の範囲に記載された構成と均等の範囲内でのすべての変更が含まれる。
例えば、前記実施形態（図１）では、コンセントの数を「２」としているが、これ以外であってもよく、また、コンセントの数に応じて副遮断器の数を変更してもよい。また、各コンセントの差し込み口の数も変更自在である。
【００７４】
計測ユニット２０は、分電盤５内ではなく、分電盤５外に設置されていてもよく、分電盤５から系統電力網側の配線（電力線３）、つまり、主幹を流れる電流・電圧を計測すればよい。例えば、計測ユニット２０を電力メータ４内に設置してもよい。
管理装置１０、計測ユニット２０及びコンセント装置３０，４０間の情報の送受信は、無線であってもよいが、電力線搬送通信（ＰＬＣ）であってもよい。
また、管理装置１０は、通信回線を通じてインターネット等の通信網と接続されていてもよい。
【符号の説明】
【００７５】
１：電気機器管理システム    ３：電力線（配線）    ５：分電盤    ６：コンセント    ６ａ，６ｂ，６ｃ：差し込み口    ７：コンセント    ７ａ，７ｂ，７ｃ：差し込み口    １２：通信部（取得部）    １７：判別部    ２２：通信部    ２３：センサ部（計測部）    ２７：特定部    ３０，４０：コンセント装置    ３３，４４：通信部    Ｔｂ：第一のサンプリング周期    Ｔａ：第二のサンプリング周期    Ｔｃ：第三のサンプリング周期    Ｘ：個別情報    Ｙ：特定用の情報    Ｚ：特定情報
【図１】
2014050171.tif 000003
【図２】
2014050171.tif 000004
【図３】
2014050171.tif 000005
【図４】
2014050171.tif 000006
【図５】
2014050171.tif 000007
【図６】
2014050171.tif 000008
【図７】
2014050171.tif 000009
【図８】
2014050171.tif 000010
【図９】
2014050171.tif 000011
【図１０】
2014050171.tif 000012